(57)【特許請求の範囲】
【請求項１】
肘掛けが、棒状で、水平部とその水平部の前側で下方に折れ曲がった前部とを有していて、横から見てほぼ逆Ｌ字形に形成され、座体に固定されている椅子の肘掛け装置において、
肘掛けの内側面の全体に亘って、その幅方向の中央に、内方を向く一定幅の突条を設け、２枚の側板を連結材をもって接合してなる覆板を肘掛けの内側面に嵌合して、その各側板を前記突条の外側面に当接させ、かつ肘掛けと覆板とを、座体の側面に雄ねじで共締めしたことを特徴とする椅子の肘掛け装置。
【請求項２】
覆板の両側板の後縁から下縁にかけて端面板を固着することにより、２枚の側板を接合した請求項１記載の椅子の肘掛け装置。
【発明の詳細な説明】
【０００１】
【産業上の利用分野】
本発明は、椅子の肘掛け装置に関し、特に、肘掛け用の覆板を有する肘掛け装置に関する。
【０００２】
【従来の技術】
肘掛け付き椅子においては、より高級感を出すために、肘掛け用部に覆板を取り付けたものがある。
最近の肘掛けの多くは、内側が開口する枠状に、または枠の一部を切り取ったような、言い換えると棒状のものを折り曲げたような形状に、アルミニウム係合金や合成樹脂材等で成形されている。
【０００３】
これらの肘掛けに覆板を取り付ける場合、肘掛けの両側面を覆う２枚の側板を別々に設け、いずれかの側板の内側を肘掛けにねじ等により固定した後、その側板にもう一方の側板を接着やテープ止め、または孔に対して軸の一部を係止させるような係止手段等で取り付けている。
【０００４】
【発明が解決しようとする課題】
そのため、上記の従来構造では、覆板の取り付けに時間が掛かり、また、覆板の取り付けのために、肘掛けに雌ねじ等を加工する必要がある。さらに、デザイン的に、肘掛けの形状は同じであるが、覆板有り・無しの２種類の椅子を製造したい場合に、覆板のある椅子、覆板のない椅子により、肘掛けを雌ねじ等の有るものと無いものとで使い分ける必要が生じる。
【０００５】
覆板の有る無しに関係なく肘掛けを共通使用をしようとする場合には、覆板を使用しない椅子にも、雌ねじ等を加工した肘掛けを使用することになるから、雌ねじ加工をした分コストアップとなり、また、不用な雌ねじ等が見えて、見栄えも悪くなる。
【０００６】
本発明の目的は、覆板の取り付けを簡単に行えるようにするとともに、肘掛けに覆板取り付けのための雌ねじ加工を必要とせず、椅子に覆板の有る無しに関係なく肘掛けを共用することができ、しかも、コストアップとならず、見栄えもよくした椅子の肘掛け装置を提供することにある。
【０００７】
【課題を解決するための手段】
本発明は、上記の目的を達成するために、次のような手段を採用している。
(１) 肘掛けが、棒状で、水平部とその水平部の前側で下方に折れ曲がった前部とを有していて、横から見てほぼ逆Ｌ字形に形成され、座体に固定されている椅子の肘掛け装置において、肘掛けの内側面の全体に亘って、その幅方向の中央に、内方を向く一定幅の突条を設け、２枚の側板を連結材をもって接合してなる覆板を肘掛けの内側面に嵌合して、その各側板を前記突条の外側面に当接させ、かつ肘掛けと覆板とを、座体の側面に雄ねじで共締めする。
【０００８】
(２) 上記１項において、覆板の両側板の後縁から下縁にかけて端面板を固着することにより、２枚の側板を接合する。
【０００９】
【作用】
肘掛けを、棒状で、水平部と前部とを有して横から見てほぼ逆Ｌ字形に形成し、その肘掛けの内側の面に突条部を設けてある。一方、肘掛けの内側の開口部をふさぐ覆板は、その左右両側面における２枚の側板を、間隔を開けて結合して形成してある。そのため、２枚の側板の間における間隙を、覆板の上縁と前縁において、肘掛けの突条部の両側に嵌合させることができる。この嵌合作業は、肘掛けの下後方から覆板を押し込むだけであるから簡単である。
【００１０】
また、嵌合する肘掛けと覆板とを分離しないように結合する雄ねじをもって、これらを座体の側面に共締めしてあるから、肘掛けおよび覆板の取り付け・取り外しを簡単に行うことができる。
【００１１】
突条は肘掛けの全長にわたって設けられているから、肘掛けの加工が容易になるとともに、肘掛けと覆板との嵌合による固定が強固になる。
【００１２】
【実施例】
次に、本発明の一実施例を、図１〜図５を参照して説明する。
図１は、本発明の肘掛け装置の一実施例を取り付けた椅子の全体構成を示す分解斜視図である。図１により主要な部品を説明すると、(２)は脚部であって、５個の脚(４)と、その先端に５個のキャスタ(６)と、中央に立つ脚柱(８)とを有している。
【００１３】
脚柱(８)の上部には箱形の基枠(10)が保持されており、さらに基枠(10)の上面には、座体(12)が２個のプレート(14)を介して固定されている。基枠(10)は幾つかの調整・固定機構とその操作ハンドルを有しているが、それらについては説明を省略する。また、座体(12)は、座席(15)と背凭れ(16)とを有している。
【００１４】
この椅子は肘掛け装置を有する。(18)は肘掛けであって、座体(12)の左右両側に取り付けてあるが、図１ではその一方の図示を省略してある。
【００１５】
肘掛け(18)は、断面角形で内側の幅方向の中央に突条部(20)を有する棒状のもので、上部に肘を掛ける水平部(22)と、その水平部(22)の前側で下方に折れ曲がって後下方を向く前部(24)とを有し、全体として横から見ると、ほぼ逆Ｌ字形をしている。
【００１６】
肘掛け(18)の両端部、即ち水平部(22)の後端と、前部(24)の下端とに取付部(26)(28)が設けられ、それに、横方向に貫通するねじ用の取付孔(30)(30)が穿設されている。一方、座体(12)の側面には、肘掛け(18)の取付孔(30)(30)の位置に対応して、２個の雌ねじ(32)が、１個は背凭れ(16)側に１個は座席(15)側に、設けられていて、肘掛け(18)は、その取付部(26)(28)を座体(12)の側面にねじ止めして固定されるようになっている。
【００１７】
肘掛け(18)の突条部(20)は、その両端の内側に出っ張っている取付部(26)(28)の間の肘掛け(18)の全長にわたって、内側面の中心線上を同じ幅で連続するように設けられている。
椅子の肘掛け装置としては、棒状の肘掛けだけのものもあるが、この実施例の椅子では、より高級感を出すために、棒状の肘掛け(18)と座体(12)との内側にできる開口部をふさぐための覆板(34)を取り付けるようにしてある。
【００１８】
この覆板(34)について、図２〜図５を用いて詳しく説明する。
覆板(34)の横方向から見た形は、略菱形をしており、上縁(36)から前縁(38)までは、肘掛け(18)の内側にぴったりと嵌まる形であり、後縁(40)から下縁(42)にかけての形は、座体(12)の側面に重なるようにし、また角が大きな丸みをもっている。
また、覆板(34)の上後ろ角と下前角は、肘掛け(18)の両端の内側に出っ張っている取付部(26)(28)の内側形状に合わせて凹み、凹部(56)(58)が作られている。
【００１９】
覆板(34)の構造は、先ず骨組みとしては、木材を使用して、合板製の２枚の側板即ち座体側の側板(44)と外側の側板(46)とを、後縁(40)から下縁(42)にかけては、覆板(34)の外形に合わせて湾曲させ外側角に丸みをつけた木製の端面板(48)により、前側では木製の角形の連結材(50)により、所定の間隔を開けて中を中空にして接合している。
【００２０】
さらに、帯板状の取付金具(52)を、座体側の側板(44)の外側面に重ねて、覆板(34)の上後ろ角から下前角にかけて斜めに張り渡し、木ねじ(54)で固定してある。取付金具(52)は、側板(44)の外側面に重ねている中間の固定部(64)に対し両端部に段をつけて取付部(62)(62)とし、覆板(34)の外周から凹部(56)(58)に飛び出させており、その取付金具(52)の取付部(62)(62)に穿設した取付孔(60)(60)は、肘掛け(18)の取付孔(30)(30)の位置に一致させてある。
【００２１】
また、取付金具(52)を固定している側板(44)の面を他の面よりも取付金具(52)の厚みの分だけ凹ませて、取付金具(52)を重ねた場合に、取付金具(52)の固定部(64)の上面が、側板(44)の固定面以外の面とほぼ同一面となるようにしてある。
【００２２】
上記のような取付金具(52)の固定部(64)を含む木製の骨組みの上に、発泡合成樹脂等のクッション材(66)(68)(70)を張り、さらにその上に、合成樹脂、皮等の表皮材(72)(74)(76)を覆って縫い合わせてある。
この場合に、側板(44)の上に張った表皮材(72)の面と取付金具(52)の取付部(62)(62)の面とは、ほぼ同一面となるようにしてある。
【００２３】
また、覆板(34)の２枚の側板(44)と(46)の間隔は、その２枚の側板の内側面に折り込んだ表皮材(72)(74)の厚みを含めて、その間隙に肘掛け(18)の突条部(20)が嵌まり合う寸法としてある。
【００２４】
このような構造の覆板(34)を肘掛け(18)に固定するには、まず覆板(34)を肘掛け(18)の後ろ下方より押し込んで、覆板(34)の２枚の側板(44)(46)の縁の間隙と、肘掛け(18)の内側面の連続する突条部(20)とを、嵌め合わせる。
【００２５】
覆板(34)と肘掛け(18)とはぴったり嵌まり、覆板(34)の取付金具(52)は、座体側の側板(44)の外側面に重ねて固定してあるから、その取付部(62)(62)は、肘掛け(18)の両端の取付部(26)(28)の座体側に重なり、取付金具(52)の取付孔(60)(60)と、肘掛け(18)の取付孔(30)(30)は、ぴったり一致する。
この状態で、肘掛け(18)と覆板(34)とを、座体(12)の側面に、その２個の雌ねじで共締めして固定する。
【００２６】
【発明の効果】
本発明は、上記のように構成したから、次の効果を奏する。
肘掛けを、棒状で、横から見て略逆Ｌ字形に形成し、その肘掛けの内側の面に突条部を設け、一方、覆板は、その左右両側面に有する２枚の側板を間隔を開けて結合し、２枚の側板の間に生じる間隙を利用して、その間隙を覆板の上縁と前縁において、前記の肘掛けの突条部に嵌合させてあるから、この嵌合作業は、肘掛けの下後方から覆板を押し込むだけであり、簡単である。
【００２７】
また、肘掛けと覆板とを、座体の側面に雄ねじで共締めして固定してあるから、  覆板の取り付け・取り外しがきわめて簡単であり、
肘掛けに対して覆板は、横方向のがたつきがなく、確実・強固に固定され、
覆板を固定するために、肘掛けにめねじ等を設ける必要がないから、覆板有り無しの椅子の双方に対して、肘掛けを問題なく共通使用することができる。
従って、覆板を取り付けない椅子に対しても、コストアップとならず、不要な雌ねじ等が見えることによる見栄えの悪さも防ぐことができる。
【００２８】
肘掛けを突条部を含め一体に形成し、また突条部を肘掛けの全長にわたって設けてあるから、肘掛けの加工が容易であり、また、肘掛けと覆板との嵌合による固定を強固なものとすることができる。
請求項２記載の発明では、端面板を用いて２枚の側板を接合してあるから、２枚の側板の結合を強くすることができ、かつ両側板間の間隔を塞いで、見栄えのよいものとすることができる。
【図面の簡単な説明】
【図１】本発明の一実施例を備える肘掛け付き椅子の分解斜視図である。
【図２】同じく覆板を外側から見た側面図である。
【図３】図２の覆板のＡ−Ａ線断面図である。
【図４】覆板の正面図である。
【図５】図２のＢ−Ｂでの一部断面図である。
【符号の説明】
(12)座体
(18)肘掛け
(20)突条部
(30)取付孔
(34)覆板
(44)(46)側板
(52)取付金具
(60)取付孔
(72)(74)(76)表皮材
【図１】
0003598473.tif 000002
【図２】
0003598473.tif 000003
【図３】
0003598473.tif 000004
【図４】
0003598473.tif 000005
【図５】
0003598473.tif 000006